(57)【要約】      （修正有）【課題】デスク等への設置及び取り外しが容易であるとともに、取り外すときにデスク等の天板を傷つけることもないシールド用パーテーションセットを提供する。【解決手段】パーテーションセットは、シールド本体２とシールド本体２の左右両端をそれぞれ支持する一対のスタンド部３とシールド本体２の位置を固定する固定部材６を具備したパーテーション本体１と、パーテーション本体１をデスク等に設置するための設置手段７を備え、スタンド部３はそれぞれ、それぞれが長尺の板材をＬ字状に折り曲げることで形成されて挟持片４ａ、４ｂと挟持片４ａ、４ｂの下端に連設された支持片５ａ、５ｂを具備した一対のスタンド片３ａ、３ｂを具備し、シールド本体２は挟持片４ａ、４ｂに挟持され、設置手段７は、支持片５ａ、５ｂの裏面に貼着される両面テープ８と、非接着面が両面テープ８における支持片５ａ、５ｂとは反対側に貼着されるマスキングテープ９を具備する。【選択図】図１
0003231414.tif 000002
【実用新案登録請求の範囲】
【請求項１】
透明なプラスチック製の２枚の板材（２ａ、２ｂ）を重ね合わすことで構成されたシールド本体（２）と、該シールド本体（２）の左右の両端をそれぞれ支持する一対のスタンド部（３）と、該一対のスタンド部（３）に支持された前記シールド本体（２）の位置を固定するための固定部材（６）とを具備した自立可能なパーテーション本体（１）と、
該パーテーション本体（１）を設置するための設置手段（７）と、
を備えたシールド用パーテーションセットであって、
前記スタンド部（３）はそれぞれ、それぞれが長尺の板材（６）をＬ字状に折り曲げることで形成されて挟持片（４ａ、４ｂ）と該挟持片（４ａ、４ｂ）の下端に連設された支持片（５ａ、５ｂ）とを具備した一対のスタンド片（３ａ、３ｂ）を具備し、
前記シールド本体（２）は、前記挟持片（４ａ、４ｂ）に挟持されることでスタンド部（３）に支持され、
前記設置手段（７）は、
前記支持片（５ａ、５ｂ）の裏面に貼着される両面テープ（８）と、
非接着面が前記両面テープ（８）における反支持片（５ａ、５ｂ）側に貼着されるマスキングテープ（９）と、を具備したことを特徴とするシールド用パーテンションセット。
【請求項２】
前記シールド本体（２）は、表裏面に光触媒層を具備したことを特徴とする請求項１に記載のシールド用パーテーションセット。
【請求項３】
前記シールド本体（２）は、上下動自在にして挟持部（４）に挟持されていることを特徴とする請求項１又は請求項２に記載のシールド用パーテーションセット。
【考案の詳細な説明】
【技術分野】
【０００１】
本考案はシールド用のパーテーションセットに係り、より詳しくは、会議や打ち合わせ用のデスク、テーブル、あるいは接客用窓口におけるカウンターに容易に取り付け、取外し可能であるとともに、取り外す際にデスク、テーブル、又はカウンター等の天板を傷つけることが無いシールド用パーテーションセットに関する。
【背景技術】
【０００２】
従来、病院や診療所、調剤薬局等の医療機関や、銀行等の金融機関の窓口業務では、不特定多数の外来者と対面するために、インフルエンザウイルス等の飛沫感染を防止するため、受付カウンターや窓口カウンター等の患者と対面するカウンターに、カウンターの内と外を仕切って、飛沫感染を防止するための防護パネルを設けることが行われている。
【０００３】
そして、この防護パネルを用いることにより、カウンターの内部にいる応対者が外来者等の飛沫を受けることをガードすることが可能となり、特に医療従事者等が感染することを防止することが可能である。
【０００４】
しかしながら、従来から用いられている飛沫感染防止用の防護パネル等は、窓口のカウンター等に取り付けて固定する構成のために、設置作業が面倒であるとともに、価格も高いという問題点が指摘されている。
【０００５】
また、西暦２０２０年（令和２年）における２月頃から流行している新型のコロナウイルスは、世界的に大流行して多数の感染者、死者が発生しているため、多数の箇所で感染を防止する必要があり、設置が容易で、価格も安い防護手段が望まれているが、前述のように、従来から用いられている飛沫感染防止用の防護パネル等は、設置作業が面倒であるとともに、価格も高いため、設置が容易で、価格も安い防護手段が望まれている。
【０００６】
更に、日本国内においても、濃厚接触による飛沫感染等を防止するために、テレワーク等が推奨されているが、医療機関においては患者の治療や入院のために患者と接触する必要があり、窓口や診察においては不特定多数の者と対面しなければならないのが実情であるため、飛沫感染を有効に防止することができるとともに、設置が容易で価格も安い防護手段が望まれている。
【０００７】
そのため、本出願人は、設置が容易で価格も安い防護手段として、シールド用の卓上用パーテーションを提案した。
【０００８】
この卓上用のパーテーションは、シールド本体２と、シールド本体の左右の両端を挟持して支持する一対のスタンド部を具備した構成であり、自立可能な卓上用パーテーションとしている。そのため、会議や打ち合わせ用のデスク、テーブル、接客用窓口におけるカウンター上に載置するのみで設置することができ、カウンター等に取り付けて固定する必要が無いため、設置作業が容易であるとともに、価格も安く抑えることができる利点がある。
【先行技術文献】
【特許文献】
【０００９】
【特許文献１】実用新案登録第３２２８２１７号公報
【特許文献２】実用新案登録第３１５２４９３号公報
【特許文献３】特開２０１１−３０７３８号公報
【特許文献４】特開２０１１-４１６８６号公報
【考案の概要】
【考案が解決しようとする課題】
【００１０】
ところで、前述の卓上用パーテーションをデスクやカウンター上に設置する場合には、パーテーションが動かないように位置を固定するために、シールド本体支持する一対のスタンド部のそれぞれを、両面テープによってデスクやカウンターに接着していたため、使用後にパーテーションを移動させる場合には、両面テープをデスクやカウンターから剥がす必要があった。
【００１１】
しかし、両面テープの粘着力は高いために、両面テープによってデスクやカウンターに接着したパーテーションを剥がすのは容易では無く、強引に剥がしてしまうと、両面テープがデスクやカウンターの天板を傷つけてしまうおそれがあった。
【００１２】
そこで、本考案は、デスクやカウンター等に設置した後でも容易に取り外すことができるとともに、取り外すときにデスクやカウンターの天板を傷つけることもないシールド用の卓上用パーテーションを提供することを課題としている。
【課題を解決するための手段】
【００１３】
本考案は、透明なプラスチック製の２枚の板材を重ね合わすことで構成されたシールド本体と、該シールド本体の左右の両端をそれぞれ支持する一対のスタンド部と、該一対のスタンド部に支持された前記シールド本体の位置を固定するための固定部材とを具備した自立可能なパーテーション本体と、
該パーテーション本体をデスクやテーブル、カウンター上に設置するための設置手段と、を備えたシールド用パーテーションセットであって、
スタンド部はそれぞれ、それぞれが長尺の板材をＬ字状に折り曲げることで形成されて挟持片と該挟持片の下端に連設された支持片とを具備した一対のスタンド片を具備し、
シールド本体は、挟持片に挟持されることでスタンド部に支持され、
前記設置手段は、
前記支持片の裏面に貼着される両面テープと、
非接着面が前記両面テープにおける反支持片側に貼着されるマスキングテープと、を具備したシールド用パーテンションセットとしている。
【考案の効果】
【００１４】
本考案のシールド用パーテーションセットは、パーテーション本体とこのパーテーション本体をデスクやテーブル、カウンター等に設置するための設置手段とを備えており、設置手段は、パーテーション本体を構成する支持片の裏面に貼着される両面テープと、この両面テープにおける反支持片側に非接着面が貼着されるマスキングテープを具備している。
【００１５】
そのため、支持片の裏面に両面テープを貼着し、この両面テープに、マスキングテープの非接着面を貼着し、この状態で、マスキングテープの接着面をデスクやカウンターの天板に貼着するのみで、シールド用パーテーションをデスクやカウンターの所望する箇所に設置することができるので設置が容易である。
【００１６】
また、デスクやカウンターに設置したパーテーションを取り外す際には、マスキングテープをデスクやカウンターから外すことで、パーテーションをデスクやカウンターから取り外すことができるが、このとき、マスキングテープは養生のために仮止めする場合に用いられるもので、粘着力が弱く剥がしやすいため、容易に取り外すことができるとともに、取り外すときにデスクやカウンターの天板を傷つけることもない。
【図面の簡単な説明】
【００１７】
【図１】本考案のシールド用パーテーションの実施例の斜視図である。
【図２】本考案のシールド用パーテーションの実施例の使用状態を示す側面図である。
【考案を実施するための形態】
【００１８】
本考案のシールド用パーテーションセットは、パーテーション本体と、このパーテーション本体をデスクやテーブル、カウンター上に設置するための設置手段を備えている。
【００１９】
パーテーション本体は、透明なプラスチック製の２枚の板材を重ね合わすことで構成されたシールド本体と、このシールド本体の左右の両端をそれぞれ支持する一対のスタンド部と、一対のスタンド部に支持されたシールド本体の位置を固定するための固定部材を具備している。
【００２０】
スタンド部はそれぞれ、一対のスタンド片を具備しており、一対のスタンド片はそれぞれ、長尺の板材をＬ字状に折り曲げることで形成されて、挟持片と挟持片の下端に連設された支持片を具備しており、シールド本体は、挟持片に挟持されることで、スタンド部に支持され、それによりパーテーション本体は自立可能としている。
【００２１】
一方、設置手段は、スタンド部を構成する支持片の裏面に貼着される両面テープと、非接着面が両面テープにおける反支持片側に貼着されるマスキングテープを具備している。
【００２２】
ここで、シールド本体は、表裏面に光触媒層を具備するとよく、これにより、シールド本体に付着したウイルスを分解除去する機能が期待される。
【００２３】
また、シールド本体は、上下動自在にして挟持部に挟持するとよく、これにより、シールド本体をわずかに上昇して、デスクとシールド本体間に僅かな空間を形成することで、飛沫を互いに防止しつつ、資料等を相手方に渡すことが可能である。
【実施例１】
【００２４】
本考案のシールド用パーテーションセットの実施例について、図面を参照して説明すると、図１は本実施例のシールド用パーテーションセットを説明するための斜視図、図２は本実施例のシールド用パーテーションセットの使用方法を説明するための図である。
【００２５】
そして、本実施例のシールド用パーテーションセット１は、パーテーション本体と、このパーテーション本体をデスクやテーブル、カウンター上に設置するための設置手段を備えている。
【００２６】
図において１がパーテーション本体であり、このパーテーション本体１は、対面する相手方からの飛沫を防護するためのシールド本体と、このシールド本体を支持するためのスタンド部から構成されている。
【００２７】
即ち、図において２がシールド本体であり、本実施例においてシールド本体２は、透明なアクリル製で四角形状の板状とし、本実施例においては横１００ｃｍ、縦６５ｃｍの寸法としている。そのために、対面による接客や会議等においても、相手方を容易に見ることが可能である。但し、寸法は特に限定されない。
【００２８】
また、シールド本体の素材は特に限定されず、必ずしもアクリルには限定されない、従って、その他のプラスチック製としてもよい。また、シールド本体の形状に関しても、必ずしも四角形状には限定されず、その他の形状にしてもよい。
【００２９】
更に、本実施例において前記シールド本体２は、図１に示されるように、同一の形状寸法の板材２ａ、２ｂを２枚重ねて構成している。そのために、板材２ａ、２ｂ間に資料等を挟むことが可能であり、会議等において資料等を相手方に見せながら会話を行うことも可能である。
【００３０】
次に、図において３は、前記シールド本体２を支持するためのスタンド部である。即ち、本実施例においてパーテーション本体１は、前記シールド本体２をスタンド部３で支持することとしており、これにより、自立可能としている。従って、デスクやテーブル、カウンター等の上に設置することができ、容易に、所望する箇所に設置して飛沫感染を防止することが可能である。
【００３１】
ここで、前記スタンド部３について説明すると、本実施例において前記スタンド部３は、一対個としており、前記シールド本体２の左右側の両端をそれぞれ支持することとしている。
【００３２】
また、スタンド部３はそれぞれ、一対のスタンド片により構成されている。即ち、図において３ａ、３ｂがスタンド片であり、このスタンド片３ａ、３ｂはそれぞれ、アルミ製としている。
【００３３】
そして、前記スタンド片３ａ、３ｂは、それぞれ、長尺の板材をＬ字状に折り曲げることで形成されて、挟持片４ａ、４ｂと、この挟持片４ａ、４ｂの下端に挟持片４ａ、４ｂと直交する方向に連設された支持片５ａ、５ｂを具備し、挟持片４ａ、４ｂにより挟持部４が構成され、支持片５ａ、５ｂにより支持部５が構成されている。
【００３４】
そしてスタンド部３は、前記支持片５ａ、５ｂが互いに反対方向へ向く配置で、挟持片４ａ、４ｂを背中合わせになるように重ねて構成され、シールド本体２は、挟持片４ａ、４ｂで挟持されることでスタンド部３に支持されている。
【００３５】
次に、図において６は、挟持片４ａ、４ｂで挟持されたシールド本体２の位置を固定するための固定部材であり、本実施例において固定部材６は、互いに連結又は連結の解除を可能としたボルト及びナットとしている。一方、前記挟持片４ａ、４ｂにはボルトが貫通する貫通孔が形成され、前記シールド本体２における前記挟持片４ａ、４ｂで挟持される部分には、縦方向に向けて複数個の貫通孔が、間隔を置いて形成されている。そしてこれにより、ボルト６によって、一方のスタンド片３ａ、シールド本体２、他方のスタンド片３ｂを貫通し、更に貫通したボルトの先端にナットを連結することで、シールド本体２をスタンド部３に固定して位置を固定することが可能である。
【００３６】
そして、このとき、シールド本体２における前記挟持片４ａ、４ｂで挟持される部分に形成した貫通孔は縦方向に向けて複数個としているために、シールド本体２におけるボルトが貫通する貫通孔の位置を変えることで、シールド本体２を上下動させることができる。従って、シールド本体２を、任意の距離だけ上昇させた状態でスタンド部３により固定し、それによりシールド本体２の下方に空間を形成することで、この空間を通して、シールド本体２を挟んで対向する相手方に、資料や商品等の受け渡しを可能にすることも可能である。但し、本考案において固定部材は必ずしもボルト及びネットで構成する必要はなく、挟持部４に挟持されたシールド本体２の位置を固定することが可能であればいずれでも良い。従って例えば、平面視野で凹部を有するコ字状としクリップ状の形状とし、シールド本体２における挟持部４で挟持された部分を凹部に挿入することで、シールド本体２の位置を固定可能としても良い。
【００３７】
なお、本実施例において前記シールド本体２は、その表裏面に、光触媒層を具備している。そのため、光触媒の有する除菌、抗ウイルス機能により、シールド本体２に付着したウイルス等を除去することができ、対面して接客や会議等を行う者を、ウイルス等の飛沫感染から有効に防護することが期待できる。
【００３８】
シールド本体２の表裏面に光触媒層を具備する方法としては、光触媒のスプレーや塗料によって、シールド本体２の表裏面に噴霧、塗布することで光触媒層を具備する方法や、光触媒を含有した紙等のシート状製品をシールド本体２の表裏面に貼り付けることで光触媒層を具備する方法が考えられる。しかし、シールド本体２の表裏面に光触媒層を具備することが可能であれば、いずれの方法を採用して触媒層を具備しても良い。
【００３９】
また、光触媒の種類は特に限定されないが、本実施例では、光触媒としてチタンアパタイトを用いている。周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。そのために、本実施例ではシールド本体２が室内等に浮遊している埃、塵、菌、有害物質等の有機物を吸着し、確実に酸化分解することができるので、ウイルスの飛沫感染から防護することが期待される。
【００４０】
次に、パーテーション本体をデスクやテーブル、カウンター上に設置するための設置手段について説明すると、図において７が設置手段であり、本実施例においてこの設置手段７は、両面テープとマスキングテープとしている。
【００４１】
即ち、図において８が両面テープであり、この両面テープ８は、パーテーション本体１をデスク、テーブル等に設置するときに、前記支持片５ａ、５ｂの双方又は一方の裏面に貼着される。
【００４２】
次に図において９はマスキングテープである。本実施例においてマスキングテープ９としては和紙製のマスキングテープを用いており、非接着面が両面テープ８に貼着されて使用される。即ち、前記支持片５ａ、５ｂの双方又は一方の裏面に両面テープ８の一方の粘着面を貼着した後に、両面テープ８の剥離紙を剥がして他方の接着面に、マスキングテープ９の非接着面を貼着する。そうすると、両面テープにおける反支持片側の面にマスキングテープ９が配置されるとともに、マスキングテープの接着面が支持片５ａ、５ｂの下面側に露出される。そしてその状態で、パーテーション本体１をデスクやテーブル、カウンターの所望する箇所に載置することで、マスキングテープ９の接着面により、パーテーション本体１をデスクやテーブル、カウンターの所望する箇所に設置することができる。
【００４３】
従って、本実施例のパーテーションセットでは、特にデスクやテーブル、カウンターに取り付けることなく、容易にパーテーションを設置することができる。また、マスキングテープ９は養生のための仮止めに用いられるもので、粘着力が弱く剥がしやすいため、使用後にパーテーションを取り外す場合には、容易に取りはずすことができるとともに、デスクやテーブル、カウンターの天板を傷つけることもない。
【００４４】
次に、このように構成される本実施例のシールド用パーテーションセットの作用について説明すると、本実施例のシールド用パーテーションセットを使用するときは、前述したように、前記支持片５ａ、５ｂの双方又は一方の裏面に両面テープ８の一方の粘着面を貼着した後に、両面テープ８の剥離紙を剥がして他方の接着面を露出させ、この露出面にマスキングテープ９の非接着面を貼着し、マスキングテープの接着面を支持片５ａ、５ｂの下面側に露出する。そしてその状態で、パーテーション本体１をデスクやテーブル、カウンターの所望する箇所に載置することで、マスキングテープ９の接着面によって、パーテーション本体１をデスクやテーブル、カウンターの所望する箇所に設置することができる。
【００４５】
従って、容易にデスクやテーブル、カウンターの上にパーテーションを設置することができるとともに、取外しも容易であり更に取りはずす際にデスク等の天板を傷つけることもない。
【００４６】
また、本実施例では、シールド本体２を、板材２ａ、２ｂを２枚重ねることで構成しているために、板材２ａ、２ｂ間に資料等を挟むことが可能であり、会議等において資料等を見せながら会話を行うことも可能である。
【００４７】
更に、本実施例では、シールド本体２を上下動自在としているため、シールド本体２を任意の距離だけ上昇させた状態でスタンド部３によって固定し、それによりシールド本体２の下方に空間を形成することで、空間を通して、会議等の最中に資料、商品等の受け渡しを可能にすることも可能である。
【００４８】
このように、本実施例のシールド用パーテーションによれば、ウイルスの飛沫感染を有効に防止しながら、窓口における対面業務、企業等における会議等を行うことが可能であるとともに、容易に設置及び取り外しができ、更に、取り外すときにデスクやカウンターの天板を傷つけることもない。
【産業上の利用可能性】
【００４９】
本考案のシールド用パーテーションは、所望する箇所に容易に設置することができるとともに取りはずしも容易で取り外す際にデスク等の天板を傷つけることも無いので、飛沫感染を防止するためにデスク、テーブル、カウンター上に設置するパーテーションの全般に適用可能である。
【符号の説明】
【００５０】
１    パーテーション本体
２    シールド本体
２ａ、ｂ  板材
３    スタンド部
３ａ、３ｂ  スタンド片
４    挟持部
４ａ、４ｂ  挟持片
５    支持部
５ａ、５ｂ    支持片
６    固定部材
７    設置手段
８    両面テープ
９    マスキングテープ
【図１】
0003231414.tif 000003
【図２】
0003231414.tif 000004